(57)【要約】【課題】  簡易な構造により眼鏡を人の胸部の付近で保持できる眼鏡保持器具を提供しようとする。【解決手段】  従来の眼鏡保持器具に変わって、反対方向を向く一対の面を形成し眼鏡を支持できる本体部材と、前記本体部材を人の胸部の付近で保持するための本体保持部材と、を備え、前記本体部材は折り畳まれた眼鏡がフレームを前記本体部材の一方の面の側に位置し１つのツルを前記本体部材の他方の面の側に位置して人の胸部の付近で保持されたときに眼鏡の連結部を下から支持できる支持部と眼鏡を左右方向に所定寸法を越えて移動できないようにする凹凸部とを形成される、ものとした。【選択図】    図１
2016021025.tif 000002
【特許請求の範囲】
【請求項１】
レンズを保持するフレームとフレームの両端部に設けられる連結部に折畳み可能に各々に連結される一対のツルとで構成される眼鏡を人の胸部の付近で保持できる眼鏡保持器具であって、
反対方向を向く一対の面を形成し眼鏡を支持できる本体部材と、
前記本体部材を人の胸部の付近で保持するための本体保持部材と、
を備え、
前記本体部材は折り畳まれた眼鏡がフレームを前記本体部材の一方の面の側に位置し１つのツルを前記本体部材の他方の面の側に位置して人の胸部の付近で保持されたときに眼鏡の連結部を下から支持できる支持部と眼鏡を左右方向に所定寸法を越えて移動できないようにする凹凸部とを形成される、
ことを特徴とする眼鏡保持器具。
【請求項２】
前記凹凸部が前記本体部材の他方の面に形成される左右一対の突起部を有し、
左右一対の前記突起部が前記本体部材の他方の面の側に位置する１つのツルを左右方向に所定寸法を越えて移動できないようにする、
ことを特徴とする請求項１に記載の眼鏡保持器具。
【請求項３】
前記凹凸部が左右一対の前記突起部と左右一対の前記突起部の頂部を繋ぐ架橋部とを有する、
ことを特徴とする請求項２に記載の眼鏡保持器具。
【請求項４】
前記本体部材は胸部に保持されたとき一方の面の側から見て上部に下方に湾曲した切欠き部を形成され、
前記切欠き部の底部が前記支持部として機能する、
ことを特徴とする請求項３に記載の眼鏡保持器具。
【請求項５】
前記本体保持部材が前記本体部材の他方の面に根元を揺動可能に固定されるピン状部材と前記本体部材の他方の面に固定され前記ピン状部材の先端を開放可能に係止する係止部材とを有し、
視線を水平にして前記本体部材の他方の面を見て左右一対の前記突起部と前記ピン状部材とが重なって見える様に配置される、
ことを特徴とする請求項４に記載の眼鏡保持器具。
【請求項６】
前記本体部材は胸部の付近に保持されたとき一方の面の側から見て上部に下方に湾曲した切欠き部を形成され、
前記切欠き部の底部が前記支持部として機能する、
ことを特徴とする請求項１に記載の眼鏡保持器具。
【請求項７】
前記本体部材は胸部の付近に保持されたとき一方の面の側から見て上部に下方に湾曲した切欠き部を形成され、
前記切欠き部の底部が前記支持部として機能し、
前記切欠き部の左右一対の側部が前記凹凸部として機能し、
左右一対の前記側部が連結部を左右方向に所定寸法を越えて移動できないようにする、
ことを特徴とする請求項１に記載の眼鏡保持器具。
【請求項８】
前記本体保持部材が前記本体部材の他方の面に根元を揺動可能に固定されるピン状部材と前記本体部材の他方の面に固定され前記ピン状部材の先端を開放可能に係止する係止部材とを有する、
ことを特徴とする請求項１に記載の眼鏡保持器具。
【請求項９】
前記凹凸部が前記本体部材の他方の面に形成される左右一対の突起部を有し、
前記本体保持部材が前記本体部材の他方の面に根元を揺動可能に固定されるピン状部材と前記本体部材の他方の面に固定され前記ピン状部材の先端を開放可能に係止する係止部材とを有し、
視線を水平にして前記本体部材の他方の面を見て左右一対の前記突起部と前記ピン状部材とが重なって見える様に配置され、
左右一対の前記突起部が前記本体部材の他方の面の側に位置する１つのツルを左右方向に所定寸法を越えて移動できないようにする、
ことを特徴とする請求項１に記載の眼鏡保持器具。
【発明の詳細な説明】
【技術分野】
【０００１】
本発明は、レンズを保持するフレームとフレームの両端部に設けられる連結部に折畳み可能に各々に連結される一対のツルとで構成される眼鏡を保持できる眼鏡保持器具に係る。
【背景技術】
【０００２】
人は外した眼鏡を手からはなしたいときがある。
そのとき、人は眼鏡を胸ポケットにいれたりする。
しかし、人がかがんだときに、眼鏡が胸ポケットから滑り落ちることがある。
そこで、より安全に眼鏡を保持できる器具が望まれている。
【発明の概要】
【発明が解決しようとする課題】
【０００３】
本発明は以上に述べた問題点に鑑み案出されたもので、簡易な構造により眼鏡を人の胸部の付近で保持できる眼鏡保持器具を提供しようとする。
【課題を解決するための手段】
【０００４】
上記目的を達成するため、本発明に係るレンズを保持するフレームとフレームの両端部に設けられる連結部に折畳み可能に各々に連結される一対のツルとで構成される眼鏡を人の胸部の付近で保持できる眼鏡保持器具であって、反対方向を向く一対の面を形成し眼鏡を支持できる本体部材と、前記本体部材を人の胸部の付近で保持するための本体保持部材と、を備え、前記本体部材は折り畳まれた眼鏡がフレームを前記本体部材の一方の面の側に位置し１つのツルを前記本体部材の他方の面の側に位置して人の胸部の付近で保持されたときに眼鏡の連結部を下から支持できる支持部と眼鏡を左右方向に所定寸法を越えて移動できないようにする凹凸部とを形成される、ものとした。
【０００５】
上記本発明の構成により、本体部材は、反対の方向を向く一対の面を形成し眼鏡を支持できる。本体保持部材は、前記本体部材を人の胸部の付近で保持するためのものである。前記本体部材は折り畳まれた眼鏡がフレームを前記本体部材の一方の面の側に位置し１つのツルを前記本体部材の他方の面の側に位置して人の胸部の付近で保持されたときに眼鏡の連結部を下から支持できる支持部と眼鏡を左右方向に所定寸法を越えて移動できないようにする凹凸部とを形成される。
その結果、眼鏡を人の胸部の付近に安定して保持できる。
【０００６】
以下に、本発明の実施形態に係る眼鏡保持器具を説明する。本発明は、以下に記載した実施形態のいずれか、またはそれらの中の二つ以上が組み合わされた態様を含む。
【０００７】
本発明の実施形態に係る眼鏡保持器具は、前記凹凸部が前記本体部材の他方の面に形成される左右一対の突起部を有し、左右一対の前記突起部が前記本体部材の裏側に位置する１つのツルを左右方向に所定寸法を越えて移動できないようにする。
上記の実施形態の構成により、前記凹凸部の左右一対の突起部が前記本体部材の他方の面に形成される。左右一対の前記突起部が前記本体部材の裏側に位置する１つのツルを左右方向に所定寸法を越えて移動できないようにする。
その結果、眼鏡を人の胸部の付近に安定して保持できる。
【０００８】
本発明の実施形態に係る眼鏡保持器具は、前記凹凸部が左右一対の前記突起部と左右一対の前記突起部の頂部を繋ぐ架橋部とを有する。
上記の実施形態の構成により、前記凹凸部が左右一対の前記突起部と左右一対の前記突起部の頂部を繋ぐ架橋部とを有する。
その結果、本体部材の裏側に位置する１つのツルを前記本体部材の他方の面と左右一対の前記突起部と前記架橋部とに挟まれる空間に挿入でき、眼鏡を人の胸部の付近に安定して保持できる。
【０００９】
本発明の実施形態に係る眼鏡保持器具は、前記架橋部が弾性素材でできている。
上記の実施形態の構成により、前記架橋部が弾性素材でできている。
その結果、前記本体部材の裏側に位置する一つのツルが弾性素材に押さえられ、眼鏡を人の胸部の付近に安定して保持できる。
【００１０】
本発明の実施形態に係る眼鏡保持器具は、前記本体部材は胸部の付近に保持されたとき一方の面の側から見て上部に下方に湾曲した切欠き部を形成され、前記切欠き部の底部が前記支持部として機能する。
上記の実施形態の構成により、前記本体部材は胸部の付近に保持されたとき一方の面の側から見て上部に下方に湾曲した切欠き部を形成される。前記切欠き部の底部が前記支持部として機能する。
その結果、、眼鏡を人の胸部の付近に安定して保持できる。
【００１１】
本発明の実施形態に係る眼鏡保持器具は、前記本体部材は胸部の付近に保持されたとき一方の面の側から見て上部に下方に湾曲した切欠き部を形成され、前記切欠き部の底部が前記支持部として機能し、前記切欠き部の左右一対の側部が前記凹凸部として機能し、左右一対の前記側部が連結部を左右方向に所定寸法を越えて移動できないようにする。
上記の実施形態の構成により、前記本体部材は胸部の付近に保持されたとき一方の面の側から見て上部に下方に湾曲した切欠き部を形成される。前記切欠き部の底部が前記支持部として機能する。前記切欠き部の左右一対の側部が前記凹凸部として機能する。
前記切欠き部の左右一対の前記側部が連結部を左右方向に所定寸法を越えて移動できないようにする
その結果、眼鏡を人の胸部の付近に安定して保持できる。
【００１２】
本発明の実施形態に係る眼鏡保持器具は、前記本体保持部材が前記本体部材の他方の面に根元を揺動可能に固定されるピン状部材と前記本体部材の他方の面に固定され前記ピン状部材の先端を開放可能に係止する係止部材とを有する。
上記の実施形態の構成により、前記本体保持部材のピン状部材は、前記本体部材の他方の面に根元を揺動可能に固定される。前記本体保持部材の係止部材は、前記本体部材の他方の面に固定され前記ピン状部材の先端を開放可能に係止する。
その結果、本体部材を人の胸部の衣服に固定し、眼鏡を人の胸部の付近に安定して保持できる。
【００１３】
本発明の実施形態に係る眼鏡保持器具は、前記凹凸部が前記本体部材の他方の面に形成される左右一対の突起部を有し、前記本体保持部材が前記本体部材の他方の面に根元を揺動可能に固定されるピン状部材と前記本体部材の他方の面に固定され前記ピン状部材の先端を開放可能に係止する係止部材とを有し、視線を水平にして前記本体部材の他方の面を見て左右一対の前記突起部と前記ピン状部材とが重なって見える様に配置され、左右一対の前記突起部が前記本体部材の裏側に位置する１つのツルを左右方向に所定寸法を越えて移動できないようにする。
上記の実施形態の構成により、前記凹凸部の左右一対の突起部は、前記本体部材の他方の面に形成される。前記本体保持部材のピン状部材は、前記本体部材の他方の面に根元を揺動可能に固定される。前記本体保持部材の係止部材は、前記本体部材の他方の面に固定され前記ピン状部材の先端を開放可能に係止する。視線を水平にして前記本体部材の他方の面を見て左右一対の前記突起部と前記ピン状部材とが重なって見える様に配置される。
左右一対の前記突起部が前記本体部材の他方の面側に位置する１つのツルを左右方向に所定寸法を越えて移動できないようにする。
その結果、本体部材の裏側に位置する１つのツルが本体部材の他方の面と左右一対の前記突起部とピン状部材に囲われる空間に挿入して、眼鏡を人の胸部の付近に安定して保持できる。
【００１４】
本発明の実施形態に係る眼鏡保持器具は、前記本体保持部材が両端を前記本体部材の左右方向に離れた一対の取付部に固定される屈曲可能な紐状部材を有する。
上記の実施形態の構成により、前記本体保持部材の屈曲可能な紐状部材は、両端を前記本体部材の左右方向に離れた一対の取付部に固定される。
その結果、紐状部材を首にかけて、眼鏡を人の胸部の付近に安定して保持できる。
【発明の効果】
【００１５】
以上説明したように、本発明に係る眼鏡保持器具は、その構成により、以下の効果を有する。
折り畳まれた眼鏡がフレームを前記本体部材の他方の面の側に位置し１つのツルを前記本体部材の一方の面の側に位置して人の胸部の付近で保持されたときに、支持部が眼鏡の連結部を下から支持し、凹凸部が眼鏡を左右方向に所定寸法を越えて移動できないようにする様にしたので、眼鏡を人の胸部の付近に安定して保持できる。
また、前記本体部材の他方の面に形成される左右一対の凹凸部が前記本体部材の他方の面の側に位置する１つのツルを左右方向に所定寸法を越えて移動できない様にしたので、眼鏡を人の胸部の付近に安定して保持できる。
また、架橋部が左右一対の突起部の頂部を繋ぐ様にしたので、本体部材の他方の面の側に位置する１つのツルを前記本体部材の他方の面と左右一対の前記突起部と前記架橋部とに挟まれる空間に挿入でき、眼鏡を人の胸部の付近に安定して保持できる。
また、前記架橋部が弾性素材でできているので、前記本体部材の他方の面の側に位置する一つのツルが弾性素材に押さえられ、眼鏡を人の胸部の付近に安定して保持できる。
また、人の胸部の付近に保持される前記本体部材の上部に形成される下方に湾曲した切欠き部の底部が眼鏡の連結部を支持する様にしたので、眼鏡を人の胸部の付近に安定して保持できる。
また、人の胸部の付近に保持される前記本体部材の上部に形成される下方に湾曲した切欠き部の底部が眼鏡の連結部を支持し、前記切欠き部の左右一対の前記側部が連結部を左右方向に所定寸法を越えて移動できない様にしたので、眼鏡を人の胸部の付近に安定して保持できる。
また、前記本体部材の他方の面に根元を揺動可能に固定されるピン状部材の先端を係止部材が開放可能に係止する様にしたので、本体部材を人の胸部の衣服に固定し、眼鏡を人の胸部の付近に安定して保持できる。
また、前記本体部材の他方の面に根元を揺動可能に固定されるピん状部材の先端を係止部材が開放可能に係止し、視線を水平にして前記本体部材の他方の面を見て左右一対の前記突起部と前記ピン状部材とが重なって見える様に配置され、左右一対の前記突起部が前記本体部材の裏側に位置する１つのツルを左右方向に所定寸法を越えて移動できないようにする様にしたので、本体部材の他方の面の側に位置する１つのツルが本体部材の裏面と左右一対の前記突起部とピン状部材に囲われる空間に挿入して、眼鏡を人の胸部の付近に安定して保持できる。
また、屈曲可能な紐状部材の両端を前記本体部材の左右方向に離れた一対の取付部に固定される様にしたので、紐状部材を首にかけて、眼鏡を人の胸部の付近に安定して保持できる。
従って、簡易な構造により眼鏡を人の胸部の付近で保持できる眼鏡保持器具を提供できる。
【図面の簡単な説明】
【００１６】
【図１】本発明の第一の実施形態に係る眼鏡保持器具の概念図である。
【図２】本発明の第二の実施形態に係る眼鏡保持器具の概念図である。
【図３】本発明の第三の実施形態に係る眼鏡保持器具の概念図である。
【図４】本発明の第四の実施形態に係る眼鏡保持器具の概念図である。
【図５】本発明の第四の実施形態に係る眼鏡保持器具のバリエーション図である。
【図６】本発明の第五の実施形態に係る眼鏡保持器具の概念図である。
【図７】本発明の第六の実施形態に係る眼鏡保持器具の概念図である。
【図８】本発明の第七の実施形態に係る眼鏡保持器具の概念図である。
【図９】本発明の第八の実施形態に係る眼鏡保持器具の概念図である。
【図１０】本発明の第九の実施形態に係る眼鏡保持器具の概念図である。
【発明を実施するための形態】
【００１７】
以下、本発明を実施するための形態を、図面を参照して説明する。
眼鏡は、目の焦点を補正してものを見やすくする眼鏡、サングラス、目を保護するもの、その他がある。
眼鏡３０は、フレーム３１と一対のツル３２とで構成される。
フレーム３１は、レンズを保持するものである。
一対のツル３２は、フレーム３１の両端部に設けられる連結部３１ａに折畳み可能に各々に連結されるものである。
【００１８】
最初に、本発明の実施形態にかかる眼鏡保持器具を、図を基に、説明する。
図１は、本発明の第一の実施形態に係る眼鏡保持器具の概念図である。
【００１９】
本発明の第一の実施形態にかかる眼鏡保持器具は、眼鏡を人の胸の付近で保持できるものであり、本体部材１０と本体保持部材（図示せず）とで構成される。
【００２０】
本体部材１０は、反対方向に向く一対の面Ｓを形成し、眼鏡３０を支持できる部材である。
例えば、本体部材１０は、一定の厚みをもつ略四辺形の板部材である。
例えば、本体部材１０は、少なくも一方の面Ｓに意匠が施された部材である。
例えば、一方の面Ｓが表面であり、他方の面Ｓが裏面である。
【００２１】
本体部材１０は、支持部１１と凹凸部１２とを形成される。
支持部１１は、折り畳まれた眼鏡３０がフレーム３１を本体部材の一方の面Ｓの側に位置し１つのツル３２を本体部材１０の他方の面Ｓの側に位置して人の胸部の付近で保持されたときに眼鏡３０の連結部３１ａを下から支持できる部分である。
凹凸部１２は、眼鏡３０を左右方向に所定寸法を越えて移動できないようにする部分である。
【００２２】
凹凸部１２は、左右一対の突起部１２ａで構成されてもよい。
左右一対の突起部１２ａは、本体部材１０の他方の面Ｓに形成される突起する部分である。
左右一対の突起部１２ａが本体部材１０の他方の面Ｓの側に位置する１つのツルを左右方向に所定寸法を越えて移動できないようにする。
【００２３】
突起部１２は、左右一対の突起部１２ａと架橋部１２ｂとで構成されてもよい。
左右一対の突起部１２ａは、本体部材の他方の面Ｓに形成される突起する部分である。
左右一対の突起部１２ａが本体部材の他方の面Ｓの側に位置する１つのツルを左右方向に所定寸法を越えて移動できないようにする。
架橋部１２ｂは、左右一対の突起部１２ａの頂部を繋ぐ部分である。
本体部材１０の他方の面Ｓの側に位置する一つのツルが、本体部材１０の他方の面Ｓと左右一対の突起部１２ａと架橋部１２ｂとに挟まれる空間に挿入可能である。
【００２４】
凹凸部１２が、眼鏡を左右方向に所定寸法を越えて移動できないようにする。
例えば、左右一対の突起部１２ａが、眼鏡３０を左右方向に所定寸法を越えて移動できないようにする。
図１は、眼鏡を左右方向に所定寸法を越えて移動できないようにする様子を示す。
図中で、ツル３２が左右一対の突起部１２ａに邪魔されて、左右方向に所定寸法ｄ１を越えて移動できない様子を示される。
【００２５】
本体保持部材（図示せず）は、本体部材１０を人の胸部の付近で保持するためのものである。
例えば、本体保持部材２０は、衣服の一部に挿すピン構造を持っている。
例えば、本体保持部材２０は、首からぶら下げるチェーン構造を持っている。
例えば、本体保持部材２０は、衣服の一部を挟むクリップ構造を持っている。
例えば、本体保持部材２０は、衣服の一部に挿すタイタック構造を持っている。
例えば、本体保持部材２０は、衣服の一部に挿す安全ピン構造を持っている。
【００２６】
眼鏡３０の連結部３１ａが本体部材１０の支持部１１に支持される。
ツル３２が、本体部材１０の他方の面Ｓの側に位置し、本体部材１０の他方の面Ｓと左右一対の突起部１２ａと架橋部１２ｂとで囲まれる空隙に挿入される。
眼鏡３０が左右方向に所定の寸法ｄ１を越えて移動できない。
【００２７】
次ぎに、本発明の第二の実施形態にかかる眼鏡保持器具を、図を基に、説明する。
図２は、本発明の第二の実施形態にかかる眼鏡保持器具の概念図である。
主要構造は、第一に実施形態にかかる眼鏡保持器具と同じなので、同じ箇所の説明を省略し、異なる点を説明する。
【００２８】
本発明の第二の実施形態にかかる眼鏡保持器具は、眼鏡を人の胸の付近で保持できるものであり、本体部材１０と本体保持部材（図示せず）とで構成される。
【００２９】
本体部材１０の構造は、左右一対の突起部１２の離間距離が異なる他は、第一の実施形態にかかる眼鏡保持器具ものと同じである。
【００３０】
突起部１２は、左右一対の突起部１２ａと架橋部１２ｂとで構成されてもよい。
左右一対の突起部１２ａは、本体部材の他方の面Ｓに形成される突起する部分である。
左右一対の突起部１２ａが本体部材の他方の面Ｓの側に位置する１つのツルを左右方向に所定寸法を越えて移動できないようにする。
架橋部１２ｂは、左右一対の突起部の頂部を繋ぐ部分である。
本体部材１０の他方の面Ｓの側に位置する一つのツル３２が、本体部材１０の他方の面Ｓと左右一対の突起部１２ａと架橋部１２ｂとに挟まれる空間に挿入可能である。
【００３１】
凹凸部１２が、眼鏡３０を左右方向に所定寸法を越えて移動できないようにする。
例えば、左右一対の突起部１２ａが、眼鏡を左右方向に所定寸法を越えて移動できないようにする。
図２は、眼鏡３０を左右方向に所定寸法ｄ２を越えて移動できないようにする様子を示す。
図中で、ツル３２が左右一対の突起部１２ａに邪魔されて、左右方向に所定寸法ｄ２を越えて移動できない様子を示される。
【００３２】
次ぎに、本発明の第三の実施形態にかかる眼鏡保持器具を、図を基に、説明する。
図３は、本発明の第三の実施形態に係る眼鏡保持器具の概念図である。
【００３３】
本発明の第三の実施形態にかかる眼鏡保持器具は、眼鏡を人の胸の付近で保持できるものであり、本体部材１０と本体保持部材２０とで構成される。
【００３４】
本体部材１０の構成は、第一の実施形態にかかる眼鏡保持器具のものと同じなので、説明を省略する。
【００３５】
本体保持部材２０は、紐状部材２２で構成される。
紐状部材２２は、両端を本体部材１０の左右方向に離れた一対の取付部に固定される屈曲可能な部材である。
例えば、紐状部材２２は、チェーンである。
【００３６】
次ぎに、本発明の第四の実施形態かかる眼鏡保持器具を、図を基に、説明する。
図４は、本発明の第四の実施形態に係る眼鏡保持器具の概念図である。
図５は、本発明の第四の実施形態に係る眼鏡保持器具のバリエーション図である。
【００３７】
本発明の第四の実施形態にかかる眼鏡保持器具は、眼鏡を人の胸の付近で保持できるものであり、本体部材１０と本体保持部材２０とで構成される。
【００３８】
本体部材１０は、反対方向に向く一対の面Ｓを形成し、眼鏡を支持できる部材である。
例えば、本体部材１０は、一定の厚みをもつ略四辺形の板部材である。
例えば、本体部材１０は、少なくも一方の面Ｓに意匠が施された部材である。
【００３９】
本体部材１０は、支持部１１と凹凸部１２とを形成される。
支持部１１は、折り畳まれた眼鏡がフレームを本体部材の一方の面Ｓの側に位置し１つのツルを本体部材の他方の面Ｓの側に位置して人の胸部の付近で保持されたときに眼鏡の連結部を下から支持できる部分である。
凹凸部１２は、眼鏡３０を左右方向に所定寸法を越えて移動できないようにする部分である。
【００４０】
本体部材１０は、切欠き部１３を形成される。
切欠き部１３は、胸部の付近に保持されたとき一方の面の側から見て上部に下方に湾曲した部分または屈曲した部分である。
切欠き部１３の底部が、支持部１１として機能する。
切欠き部１３の左右一対の側部１２ｃが、凹凸部１２として機能する。
左右一対の側部１２ｃが連結部３１ａを左右方向に所定寸法を越えて移動できないようにする。
切欠き部１３の左右一対の側部１２ｃが連結部３１ａを左右方向に所定寸法ｄ４を越えて越えない様にする。
【００４１】
図５は、切欠き部のバリエーションを示す。
図５の（ａ）は、切欠き部１３の巾寸法ｄ５が少ない例を示す。
図５の（ｂ）は、切欠き部１３の巾寸法ｄ６が、（ａ）より大きい例を示す。
図５の（ｃ）は、切欠き部１３の巾寸法ｄ７が（ｂ）より大きい例を示す。
【００４２】
本体保持部材２０は、本体部材を人の胸部の付近で保持するためのものである。
本体保持部材２０は、ピン状部材２１ａと係止部材２１ｂとで構成される。
ピン状部材２１ａは、本体部材の他方の面Ｓに根元を揺動可能に固定される部材である。
係止部材２１ｂは、本体部材の他方の面Ｓに固定されピン状部材２１ａの先端を開放可能に係止する部材である。
ピン状部材２１ａを衣服の一部に挿して、係止部材２１ｂがピン状部材２１ａの先端を開放可能に係止する。
【００４３】
眼鏡３０の連結部３１ａが本体部材１０の支持部１１に支持される。
ツル３２が、本体部材１０の他方の面Ｓの側に位置し、本体部材１０の他方の面Ｓとピン状部材２１ａと係止部材２１ｂとで囲まれる空隙に挿入される。
眼鏡３０が左右方向に所定の寸法ｄ４、ｄ５、ｄ６、またはｄ７を越えて移動できない。
【００４４】
次ぎに、本発明の第五の実施形態にかかる眼鏡保持器具を、図を基に、説明する。
図６は、本発明の第五の実施形態にかかる眼鏡保持器具の概念図である。
【００４５】
本発明の第五の実施形態にかかる眼鏡保持器具は、眼鏡を人の胸の付近で保持できるものであり、本体部材１０と本体保持部材２０とで構成される。
【００４６】
本体部材１０は、反対方向に向く一対の面Ｓを形成し、眼鏡を支持できる部材である。
例えば、本体部材１０は、一定の厚みをもつ略四辺形の板部材である。
例えば、本体部材１０は、少なくも一方の面Ｓに意匠が施された部材である。
【００４７】
本体部材１０は、支持部１１と凹凸部１２とを形成される。
支持部１１は、折り畳まれた眼鏡がフレームを本体部材の一方の面Ｓの側に位置し１つのツルを本体部材の他方の面Ｓの側に位置して人の胸部の付近で保持されたときに眼鏡の連結部を下から支持できる部分である。
凹凸部１２は、眼鏡を左右方向に所定寸法を越えて移動できないようにする部分である。
【００４８】
凹凸部１２は、左右一対の突起部１２ａで架橋部１２ｂと構成されてもよい。
左右一対の突起部１２ａは、本体部材の他方の面Ｓに形成される突起する部分である。
左右一対の突起部１２ａが本体部材の他方の面Ｓの側に位置する１つのツルを左右方向に所定寸法を越えて移動できないようにする。
架橋部１２ｂは、左右一対の突起部の頂部を繋ぐ部分である。
図６は、左右一対の突起部１２ａで架橋部１２ｂとが段差無く滑らかに繋がり一体構造となったものを示す。
本体部材１０の他方の面Ｓの側に位置する一つのツルが、本体部材１０の他方の面Ｓと左右一対の突起部１２ａと架橋部１２ｂとに挟まれる空間に挿入可能である。
【００４９】
凹凸部１２が、眼鏡を左右方向に所定寸法を越えて移動できないようにする。
例えば、左右一対の突起部１２ａが、眼鏡を左右方向に所定寸法を越えて移動できないようにする。
図６は、眼鏡３０を左右方向に所定寸法を越えて移動できないようにする様子を示す。
図中で、ツル３２が左右一対の突起部１２ａに邪魔されて、左右方向に所定寸法ｄ８を越えて移動できない様子を示される。
【００５０】
本体保持部材２０は、第四の実施形態にかかる眼鏡保持器具のものと同じなので、説明を省略する。
【００５１】
眼鏡３０の連結部３１ａが本体部材１０の支持部１１に支持される。
ツル３２が、本体部材１０の他方の面Ｓの側に位置し、本体部材１０の他方の面Ｓと左右一対の突起部１２ａと架橋部１２ｂとで囲まれる空隙に挿入される。
眼鏡３０が左右方向に所定の寸法ｄ８を越えて移動できない。
【００５２】
次は、本発明の第六の実施形態にかかる眼鏡保持器具を、図を基に、説明する。
図７は、本発明の第六の実施形態にかかる眼鏡保持器具の概念図である。
【００５３】
本発明の第六の実施形態にかかる眼鏡保持器具は、眼鏡を人の胸の付近で保持できるものであり、本体部材１０と本体保持部材２０とで構成される。
【００５４】
本体部材１０は、反対方向に向く一対の面Ｓを形成し、眼鏡を支持できる部材である。
例えば、本体部材１０は、一定の厚みをもつ略四辺形の板部材である。
例えば、本体部材１０は、少なくも一方の面Ｓに意匠が施された部材である。
【００５５】
本体部材１０は、支持部１１と凹凸部１２とを形成される、
支持部１１は、折り畳まれた眼鏡３０がフレーム３１を本体部材の一方の面Ｓの側に位置し１つのツル３２を本体部材１０の他方の面Ｓの側に位置して人の胸部の付近で保持されたときに眼鏡３０の連結部３１ａを下から支持できる部分である。
凹凸部１２は、眼鏡３０を左右方向に所定寸法を越えて移動できないようにする部分である。
【００５６】
凹凸部１２は、左右一対の突起部１２ａで構成されてもよい。
左右一対の突起部１２ａは、本体部材の他方の面Ｓに形成される突起する部分である。
左右一対の突起部１２ａが本体部材の他方の面Ｓの側に位置する１つのツルを左右方向に所定寸法を越えて移動できないようにする。
【００５７】
凹凸部１２が、眼鏡３０を左右方向に所定寸法を越えて移動できないようにする。
例えば、左右一対の突起部１２ａが、眼鏡３０を左右方向に所定寸法を越えて移動できないようにする。
図１は、眼鏡３０を左右方向に所定寸法を越えて移動できないようにする様子を示す。
図中で、ツル３２が左右一対の突起部１２ａに邪魔されて、左右方向に所定寸法ｄ９を越えて移動できない様子を示される。
【００５８】
本体保持部材２０は、本体部材１０を人の胸部の付近で保持するためのものである。
本体保持部材２０は、ピン状部材２１ａと係止部材２１ｂとで構成される。
ピン状部材２１ａは、本体部材の他方の面Ｓに根元を揺動可能に固定される部材である。
係止部材２１ｂは、本体部材の他方の面Ｓに固定されピン状部材２１ａの先端を開放可能に係止する部材である。
ピン状部材２１ａを衣服の一部に挿して、係止部材２１ｂがピン状部材２１ａの先端を開放可能に係止する。
【００５９】
視線を水平にして本体部材１０の他方の面Ｓを見て、左右一対の突起部１２ａとピン状部材２１ａとが重なって見える様に配置される。
左右一対のの突起部１２ａは、係止部材２１ｂに係止された状態でのピン状部材２１ａが嵌まる溝を形成されてもよい。
【００６０】
眼鏡の連結部が本体部材１０の支持部１１に支持される。
ツル３２が、本体部材１０の他方の面Ｓの側に位置し、本体部材１０の他方の面Ｓとピン状部材２１ａと左右一対の突起部１２ａとで囲まれる空隙に挿入される。
眼鏡が左右方向に所定の寸法ｄ９を越えて移動できない。
【００６１】
次ぎに、本発明の第七の実施形態にかかる眼鏡保持器具を、図を基に、説明する。
図８は、本発明の第七の実施形態にかかる眼鏡保持器具の概念図である。
【００６２】
本発明の第七の実施形態にかかる眼鏡保持器具は、眼鏡３０を人の胸の付近で保持できるものであり、本体部材１０と本体保持部材２０とで構成される。
【００６３】
本体部材１０は、反対方向に向く一対の面Ｓを形成し、眼鏡を支持できる部材である。
例えば、本体部材１０は、一定の厚みをもつ略四辺形の板部材である。
例えば、本体部材１０は、少なくも一方の面Ｓに意匠が施された部材である。
【００６４】
本体部材１０は、支持部１１と凹凸部１２とを形成される。
支持部１１は、折り畳まれた眼鏡３０がフレームを本体部材の一方の面Ｓの側に位置し１つのツルを本体部材の他方の面Ｓの側に位置して人の胸部の付近で保持されたときに眼鏡の連結部を下から支持できる部分である。
凹凸部１２は、眼鏡を左右方向に所定寸法を越えて移動できないようにする部分である。
【００６５】
本体部材１０は、突起部１２ａと架橋部１２ｂとを形成される。
突起部１２ａと架橋部１２ｂとは、凹凸部１２として機能する。
左右一対の突起部１２ａは、本体部材の他方の面Ｓに形成される突起する部分である。
左右一対の突起部１２ａが本体部材の他方の面Ｓの側に位置する１つのツルを左右方向に所定寸法を越えて移動できないようにする。
架橋部１２ｂは、左右一対の突起部１２ａの頂部を繋ぐ部分である。
架橋部１２ｂは、弾性素材でできていてもよい。
本体部材１０の他方の面Ｓの側に位置する一つのツル３２が、本体部材１０の他方の面Ｓと左右一対の突起部１２ａと架橋部１２ｂとに挟まれる空間に挿入可能である。
【００６６】
本体保持部材２０は、本体部材を人の胸部の付近で保持するためのものである。
本体保持部材２０は、ピン状部材２１ａと係止部材２１ｂとで構成される。
ピン状部材２１ａは、本体部材の他方の面Ｓに根元を揺動可能に固定される部材である。
係止部材２１ｂは、本体部材の他方の面Ｓに固定されピン状部材２１ａの先端を開放可能に係止する部材である。
ピン状部材２１ａを衣服の一部に挿して、係止部材２１ｂがピン状部材２１ａの先端を開放可能に係止する。
【００６７】
眼鏡３０の連結部３１ａが本体部材１０の支持部１１に支持される。
ツル３２が、本体部材１０の他方の面Ｓの側に位置し、本体部材１０の他方の面Ｓとピン状部材２１ａと係止部材２１ｂとで囲まれる空隙に挿入され、さらに本体部材１０の他方の面Ｓと左右一対の突起部２１ａと架橋部１２ｂとで囲まれる空間に挿入される。
眼鏡３０が左右方向に所定の寸法ｄ１０を越えて移動できない。
左右一対の突起部１２ａが、眼鏡３０を左右方向に所定寸法を越えて移動できないようにする。
図８は、眼鏡を左右方向に所定寸法ｄ１０を越えて移動できないようにする様子を示す。
図中で、ツル３２が左右一対の突起部１２ａに邪魔されて、左右方向に所定寸法ｄ１０を越えて移動できない様子を示される。
【００６８】
次ぎに、本発明の第八の実施形態にかかる眼鏡保持器具を、図を基に、説明する。
図９は、本発明の第八の実施形態にかかる眼鏡保持器具の概念図である。
【００６９】
本発明の第八の実施形態にかかる眼鏡保持器具は、眼鏡３０を人の胸の付近で保持できるものであり、本体部材１０と本体保持部材２０とで構成される。
【００７０】
本体部材１０は、反対方向に向く一対の面Ｓを形成し、眼鏡を支持できる部材である。
例えば、本体部材１０は、一定の厚みをもつ板部材である。
例えば、本体部材１０は、少なくも一方の面Ｓに意匠が施された部材である。
例えば、本体部材１０は、上部に後述するタイタック２３が刺さる穴をもつ。
例えば、本体部材１０は、眼鏡３０のツル３２を挿入できる開口をもつ。
例えば、本体部材１０は、屈曲可能な素材でできる。
【００７１】
本体部材１０は、突起部１２ａと架橋部１２ｂとを形成される。
突起部１２ａと架橋部１２ｂの構造は、前述したものと同じなので、説明を省略する。
【００７２】
本体保持部材２０は、本体部材を人の胸部の付近で保持するためのものである。
例えば、保持部材２０は、タイタック２３である。
図９は、タイタック２３が本体部材１０に形成された穴に刺さる様子を示す。
【００７３】
眼鏡３０の連結部３１ａが本体部材１０の支持部１１に支持される。
ツル３２が、本体部材１０の他方の面Ｓの側に位置し、本体部材１０の他方の面Ｓとピン状部材２１ａと係止部材２１ｂとで囲まれる空隙に挿入され、さらに本体部材１０の他方の面Ｓと左右一対の突起部２１ａと架橋部１２ｂとで囲まれる空間に挿入される。
眼鏡３０が左右方向に所定の寸法ｄ１１を越えて移動できない。
左右一対の突起部１２ａが、眼鏡３０を左右方向に所定寸法を越えて移動できないようにする。
図９は、眼鏡を左右方向に所定寸法ｄ１１を越えて移動できないようにする様子を示す。
図中で、ツル３２が左右一対の突起部１２ａに邪魔されて、左右方向に所定寸法ｄ１１を越えて移動できない様子を示される。
【００７４】
次ぎに、本発明の第九の実施形態にかかる眼鏡保持器具を、図を基に、説明する。
図１０は、本発明の第九の実施形態にかかる眼鏡保持器具の概念図である。
【００７５】
本発明の第九の実施形態にかかる眼鏡保持器具は、眼鏡３０を人の胸の付近で保持できるものであり、本体部材１０と本体保持部材２０とで構成される。
【００７６】
本体部材１０は、反対方向に向く一対の面Ｓを形成し、眼鏡を支持できる部材である。
例えば、本体部材１０は、一定の厚みをもつ板部材である。
例えば、本体部材１０は、少なくも一方の面Ｓに意匠が施された部材である。
例えば、本体部材１０は、上部に後述する安全ピン２４が刺さる穴をもつ。
例えば、本体部材１０は、眼鏡３０のツル３２を挿入できる開口をもつ。開口は、上部が開いた形状をしていてもよい。
例えば、本体部材１０は、屈曲可能な素材でできる。
【００７７】
本体部材１０は、突起部１２ａと架橋部１２ｂとを形成される。
突起部１２ａと架橋部１２ｂの構造は、前述したものと同じなので、説明を省略する。
【００７８】
本体保持部材２０は、本体部材を人の胸部の付近で保持するためのものである。
例えば、保持部材２０は、安全ピン２４である。
図１０は、安全ピン２４が本体部材１０に形成された一対の穴に刺さる様子を示す。
【００７９】
眼鏡３０の連結部３１ａが本体部材１０の支持部１１に支持される。
ツル３２が、本体部材１０の他方の面Ｓの側に位置し、本体部材１０の他方の面Ｓとピン状部材２１ａと係止部材２１ｂとで囲まれる空隙に挿入され、さらに本体部材１０の他方の面Ｓと左右一対の突起部２１ａと架橋部１２ｂとで囲まれる空間に挿入される。
眼鏡３０が左右方向に所定の寸法ｄ１２を越えて移動できない。
左右一対の突起部１２ａが、眼鏡３０を左右方向に所定寸法を越えて移動できないようにする。
図１０は、眼鏡を左右方向に所定寸法ｄ１２を越えて移動できないようにする様子を示す。
図中で、ツル３２が左右一対の突起部１２ａに邪魔されて、左右方向に所定寸法ｄ１２を越えて移動できない様子を示される。
【００８０】
本発明の実施形態にかかる眼鏡保持器具は、その構成により、以下の効果を奏する。
折り畳まれた眼鏡３０がフレーム３１を本体部材の一方の面Ｓの側に位置し１つのツル３２を本体部材の他方の面Ｓの側に位置して人の胸部の付近で保持されたときに、支持部が眼鏡３０の連結部３１ａを下から支持し、凹凸部が眼鏡３０を左右方向に所定寸法を越えて移動できないようにする様にしたので、
眼鏡３０を人の胸部の付近に安定して保持できる。
また、本体部材の他方の面Ｓに形成される左右一対の凹凸部１２が本体部材１０の他方の面Ｓの側に位置する１つのツルを左右方向に所定寸法を越えて移動できない様にしたので、眼鏡３０を人の胸部の付近に安定して保持できる。
また、架橋部１２ｂが左右一対の突起部１２ａの頂部を繋ぐ様にしたので、本体部材１０の他方の面Ｓの側に位置する１つのツル３２を本体部材１０の他方の面Ｓと左右一対の突起部１２ａと架橋部１２ｂとに挟まれる空間に挿入でき、眼鏡３０を人の胸部の付近に安定して保持できる。
また、架橋部１２ｂが弾性素材でできているので、本体部材１０の他方の面Ｓの側に位置する一つのツル３２が弾性素材に押さえられ、眼鏡３０を人の胸部の付近に安定して保持できる。
また、人の胸部の付近に保持される本体部材１０の上部に形成される下方に湾曲した切欠き部の底部が眼鏡３０の連結部３１ａを支持する様にしたので、眼鏡３０を人の胸部の付近に安定して保持できる。
また、人の胸部の付近に保持される本体部材１０の上部に形成される下方に湾曲した切欠き部の底部が眼鏡の連結部を支持し、切欠き部の左右一対の側部が連結部を左右方向に所定寸法を越えて移動できない様にしたので、眼鏡を人の胸部の付近に安定して保持できる。
また、本体部材１０の他方の面Ｓに根元を揺動可能に固定されるピン状部材２１ａの先端を係止部材２１ｂが開放可能に係止する様にしたので、本体部材１０を人の胸部の衣服に固定し、眼鏡３０を人の胸部の付近に安定して保持できる。
また、本体部材１０の他方の面Ｓに根元を揺動可能に固定されるピん状部材２１ａの先端を係止部材２１ｂが開放可能に係止し、視線を水平にして本体部材１０の他方の面Ｓを見て左右一対の突起部１２ａとピン状部材２１ａとが重なって見える様に配置され、左右一対の突起部２ａが本体部材１０の裏側に位置する１つのツル３２を左右方向に所定寸法を越えて移動できないようにする様にしたので、本体部材１０の他方の面の側に位置する１つのツル３２が本体部材１０の他方の面Ｓと左右一対の突起部とピン状部材に囲われる空間に挿入して、眼鏡を人の胸部の付近に安定して保持できる。
また、屈曲可能な紐状部材２２の両端を本体部材１０の左右方向に離れた一対の取付部に固定される様にしたので、紐状部材を首にかけて、眼鏡を人の胸部の付近に安定して保持できる。
【００８１】
本発明は以上に述べた実施形態に限られるものではなく、発明の要旨を逸脱しない範囲で各種の変更が可能である。
【符号の説明】
【００８２】
Ｓ  面
１０  本体部材
１１  支持部
１２  凹凸部
１２ａ  突起部
１２ｂ  架橋部
１２ｃ  側部
１３  切欠き部
２０  本体保持部
２１ａ  ピン状部材
２１ｂ  係止部材
２２  紐状部材
２３  タイタック
２４  安全ピン
３０  眼鏡
３１  フレーム
３１ａ  連結部
３２  ツル
【先行技術文献】
【特許文献】
【００８３】
【特許文献１】実開平６−４３６１９号
【特許文献２】特開２００６−２８１７０３号
【特許文献３】実用新案登録第３０７５７９５号
【図１】
2016021025.tif 000003
【図２】
2016021025.tif 000004
【図３】
2016021025.tif 000005
【図４】
2016021025.tif 000006
【図５】
2016021025.tif 000007
【図６】
2016021025.tif 000008
【図７】
2016021025.tif 000009
【図８】
2016021025.tif 000010
【図９】
2016021025.tif 000011
【図１０】
2016021025.tif 000012